(57)【要約】  本発明の実施形態は、信号伝送方法および装置を提供する。方法は、基地局によって、ＶＡＭ行列を使用することによって、第１のベースバンド信号、第２のベースバンド信号、第３のベースバンド信号および第４のベースバンド信号を処理し、４つの処理された信号を取得するステップと、４つの処理された信号に対してプリコーディング処理を行い４つの符号化された信号を取得するステップと、４つの無線周波数ポートを使用することによって、４つの符号化された信号を端末装置へ送信するステップとを含む。４つの無線周波数ポートは、４つの符号化された信号と１対１の対応である。第１の処理された信号は、第３の処理された信号と同じであり、第２の処理された信号は、第４の処理された信号と同じである。第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される。本発明の実施形態では、無線周波数チャネル上で信号を伝送する電力が閾値を超えないとき、マルチアンテナ技術におけるパイロットカバレッジ能力が改善されうる。
2019530340.tif 000002
【特許請求の範囲】
【請求項１】
信号伝送方法であって、
基地局によって、仮想アンテナマッピングＶＡＭ行列を使用することによって、第１のベースバンド信号、第２のベースバンド信号、第３のベースバンド信号、および第４のベースバンド信号を処理し、４つの処理された信号を取得するステップであって、前記４つの処理された信号は、第１の処理された信号、第２の処理された信号、第３の処理された信号、および第４の処理された信号を含み、前記第１の処理された信号は、前記第３の処理された信号と同じであり、前記第２の処理された信号は、前記第４の処理された信号と同じであり、前記第１の処理された信号は、前記第１のベースバンド信号および前記第３のベースバンド信号に対して重畳を行うことによって取得され、前記第２の処理された信号は、前記第２のベースバンド信号および前記第４のベースバンド信号に対して重畳を行うことによって取得される、ステップと、
前記基地局によって、前記４つの処理された信号に対してプリコーディング処理を行い、４つの符号化された信号を取得するステップと、
前記基地局によって、４つの無線周波数ポートを使用することによって、前記４つの符号化された信号を移動端末へ送信するステップであって、前記４つの無線周波数ポートは、前記４つの符号化された信号と１対１の対応である、ステップと、
を含む、信号伝送方法。
【請求項２】
前記ＶＡＭ行列は、
【数１】
2019530340.tif 000019
である、請求項１に記載の方法。
【請求項３】
前記ＶＡＭ行列は、以下の行列、すなわち、
【数２】
2019530340.tif 000020
のうちのいずれか１つである、請求項１に記載の方法。
【請求項４】
前記基地局は、ロング・ターム・エボリューションLTEにおける進化したNodeB Enbである、請求項１から３のいずれか一項に記載の方法。
【請求項５】
構成情報および無線周波数チャネルによって提供されうる電力に基づいて前記基地局により、前記ＶＡＭ行列を使用することによって前記第１のベースバンド信号、前記第２のベースバンド信号、前記第３のベースバンド信号、および前記第４のベースバンド信号を処理することを決定するステップをさらに含む、請求項１から４のいずれか一項に記載の方法。
【請求項６】
基地局であって、
仮想アンテナマッピングＶＡＭ行列を使用することによって、第１のベースバンド信号、第２のベースバンド信号、第３のベースバンド信号、および第４のベースバンド信号を処理し、４つの処理された信号を取得するよう構成されたＶＡＭ処理ユニットであって、前記４つの処理された信号は、第１の処理された信号、第２の処理された信号、第３の処理された信号、および第４の処理された信号を含み、前記第１の処理された信号は、前記第３の処理された信号と同じであり、前記第２の処理された信号は、前記第４の処理された信号と同じであり、前記第１の処理された信号は、前記第１のベースバンド信号および前記第３のベースバンド信号に対して重畳を行うことによって取得され、前記第２の処理された信号は、前記第２のベースバンド信号および前記第４のベースバンド信号に対して重畳を行うことによって取得される、仮想アンテナマッピングＶＡＭ処理ユニットと、
前記ＶＡＭ処理ユニットによって取得された前記４つの処理された信号に対してプリコーディング処理を行い、４つの符号化された信号を取得するよう構成されたプリコーディング処理ユニットと、
４つの無線周波数ポートを使用することによって、前記プリコーディング処理ユニットによって取得された前記４つの符号化された信号を移動端末へ送信するよう構成された送信ユニットであって、前記４つの無線周波数ポートは、前記４つの符号化された信号と１対１の対応である、送信ユニットと、
を含む、基地局。
【請求項７】
前記ＶＡＭ行列は、
【数３】
2019530340.tif 000021
である、請求項６に記載の基地局。
【請求項８】
前記ＶＡＭ行列は、以下の行列、すなわち、
【数４】
2019530340.tif 000022
のうちのいずれか１つである、請求項６に記載の基地局。
【請求項９】
前記基地局は、ロング・ターム・エボリューションLTEにおける進化したNodeB Enbである、請求項６から８のいずれか一項に記載の基地局。
【請求項１０】
前記基地局は、構成情報および無線周波数チャネルによって提供されうる電力に基づいて、前記ＶＡＭ行列を使用することによって前記第１のベースバンド信号、前記第２のベースバンド信号、前記第３のベースバンド信号、および前記第４のベースバンド信号を処理することを決定するよう構成された決定ユニットを含む、請求項６から９のいずれか一項に記載の基地局。
【発明の詳細な説明】
【技術分野】
【０００１】
本発明の実施形態は、ワイヤレス通信分野に関連し、より具体的には、信号伝送方法および基地局に関する。
【背景技術】
【０００２】
マルチアンテナ伝送技術は、送信端および受信端において、データを送信および受信するために複数のアンテナが使用されることを意味する。マルチアンテナ伝送技術は、空間資源を十分に活用し、無線チャネルの有効帯域幅を増加させ、通信システムの容量を大きく増加させ、ローカルエリアネットワークの伝送速度を加速させることができる。現在、マルチアンテナ技術は、第３世代パートナーシップ・プロジェクト（3rd Generation Partnership Project, 3GPP）のロング・ターム・エボリューション（Long Term Evolution, LTE）の技術仕様に、重要な特徴として導入されている。ネットワークアプリケーションは急速に発展するため、マルチアンテナ・ワイヤレス・ネットワーク装置はより良い選択肢である。
【０００３】
従来技術の解決手段では、2T（送信, Transmit）2R（受信,Receive）が4T4Rへ進化する過程において電力が２倍にできず、例えば、2T2Rでの電力が2×40 Wであり、また、費用のために、2T2Rが4T4Rへ進化された後に電力が4×40 Wに変換されることができず、4×20 Wに設定できるのみである場合、セル固有参照信号（Cell-Specific Reference Signal, CRS）の電力は、信号を出力する電力が無線周波数電力増幅器（Power Amplifier, PA）の能力を超えないことを確実にするよう低減される必要がある。よって、パイロットカバレッジが減少し、LTEユーザはセルハンドオーバーを実行し、若しくは隣接セルを再選択し、または、ネットワーク切断および通話切れが生ずる。結果として、端末のユーザエクスペリエンスが影響を受ける。
【発明の概要】
【課題を解決するための手段】
【０００４】
本発明の実施形態は、マルチアンテナ技術におけるパイロットカバレッジ能力を改善するべく、信号伝送方法および基地局を提供する。
【０００５】
第１の態様によれば、基地局によって、仮想アンテナマッピング（Virtual Antenna Mapping, VAM）行列を使用することによって、第１のベースバンド信号、第２のベースバンド信号、第３のベースバンド信号、および第４のベースバンド信号を処理し、４つの処理された信号を取得するステップであって、４つの処理された信号は、第１の処理された信号、第２の処理された信号、第３の処理された信号、および第４の処理された信号を含み、第１の処理された信号は、第３の処理された信号と同じであり、第２の処理された信号は、第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される、ステップと、基地局によって、４つの処理された信号に対してプリコーディング処理を行い、４つの符号化された信号を取得するステップと、基地局によって、４つの無線周波数ポートを使用することによって、４つの符号化された信号を移動端末へ送信するステップであって、４つの無線周波数ポートは、４つの符号化された信号と１対１の対応である、ステップと、を含む、信号伝送方法が提供される。
【０００６】
本発明の本実施形態では、仮想アンテナマッピング処理およびプリコーディング処理は、４つのベースバンド信号に対して行われ、各符号化された信号は、対応する無線周波数ポートを使用することによって移動端末へ送信される。従って、マルチ・アンテナ・エボリューションの間、無線周波数チャネル上で信号を伝送する電力が閾値を超えないことを確実にするためにセル固有参照信号の電力を低減させる必要はなく、それによってマルチアンテナ技術におけるパイロットカバレッジ能力が改善されうる。
【０００７】
第１の態様を参照して、第１の態様の実施において、ＶＡＭ行列は、
【０００８】
【数１】
2019530340.tif 000003
【０００９】
である。
【００１０】
第１の態様および上述の第１の態様の実施を参照して、第１の態様の他の実施において、ＶＡＭ行列は、以下の行列、すなわち、
【００１１】
【数２】
2019530340.tif 000004
【００１２】
のうちのいずれか１つである。
【００１３】
構成情報および無線周波数チャネルによって提供されうる電力が特定のものであるとき、もしベースバンド信号がＶＡＭ行列を使用することによって処理されない場合は、無線周波数チャネルにより信号を出力する電力は閾値を超えることがあり、したがって、通常の信号伝送は実施されることができない。本発明の本実施形態では、ＶＡＭ処理はベースバンド信号に対して行われるため、処理の後に取得される各符号化された信号を無線周波数ポートを使用することによって移動端末へ送信する電力は、要件を満たすことができ、通常の信号伝送を確実とすることができる。
【００１４】
本発明の実施形態では、ＶＡＭ行列を使用することによって第１のベースバンド信号、第２のベースバンド信号、第３のベースバンド信号、および第４のベースバンド信号を処理することは、４×４ＶＡＭ行列と４つのベースバンド信号からなる４×１行列とを乗算し、４つの処理された信号に対応する４×１行列を取得することでありうる。
【００１５】
第１の態様および上述の第１の態様の実施を参照して、第１の態様の他の実施において、基地局は、ロング・ターム・エボリューションLTEにおける進化したNodeB eNBである。
【００１６】
第１の態様および上述の第１の態様の実施を参照して、第１の態様の他の実施において、方法は、構成情報および無線周波数チャネルによって提供されうる電力に基づいて基地局により、ＶＡＭ行列を使用することによって第１のベースバンド信号、第２のベースバンド信号、第３のベースバンド信号、および第４のベースバンド信号を処理することを決定するステップをさらに含む。
【００１７】
構成情報を使用することによって計算を通じて、ベースバンド信号はＶＡＭ行列を使用することによって処理されるべきではないことを知ることができるとき、各ベースバンド信号は無線周波数ポートを使用することによって伝送され、無線周波数ポートを使用することによって各ベースバンド信号を伝送する電力が無線周波数チャネルによって提供されうる電力よりも大きい場合、通常の信号伝送は、従来技術を使用することによっては実施することができない。この場合、ベースバンド信号は、本発明の解決手段を使用することによって処理され、送信されうる。そうでなければ、ベースバンド信号は、既存の解決手段を使用することによって処理され、送信されうる。
【００１８】
本発明の実施形態では、すべてのチャネル上での伝送の間、４つのベースバンド信号の各々に対して、同じＶＡＭ行列が使用される。
【００１９】
本発明の実施形態では、本発明の解決手段を使用することによってＮ個のベースバンド信号がさらに処理されてもよいため、各無線周波数ポートにより信号を出力する電力は無線周波数チャネルによって提供されうる電力に合い、Ｎは４よりも大きい整数であってもよい。この場合、ＶＡＭ行列の各列は、少なくとも２つの非ゼロ要素を含むため、各ベースバンド信号は少なくとも２つのポートから出力されうる。
【００２０】
本発明の実施形態では、ＶＡＭ行列の各列の非ゼロ要素は、同じであるか、反数である。このようにして、ベースバンド信号は、４つまたはＮ個の無線周波数出力ポートに等しく割り当てられうる。
【００２１】
第２の態様によれば、仮想アンテナマッピングＶＡＭ行列を使用することによって、第１のベースバンド信号、第２のベースバンド信号、第３のベースバンド信号、および第４のベースバンド信号を処理し、４つの処理された信号を取得するよう構成されたＶＡＭ処理ユニットであって、４つの処理された信号は、第１の処理された信号、第２の処理された信号、第３の処理された信号、および第４の処理された信号を含み、第１の処理された信号は、第３の処理された信号と同じであり、第２の処理された信号は、第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される、仮想アンテナマッピングＶＡＭ処理ユニットと、ＶＡＭ処理ユニットによって取得された４つの処理された信号に対してプリコーディング処理を行い、４つの符号化された信号を取得するよう構成されたプリコーディング処理ユニットと、４つの無線周波数ポートを使用することによって、プリコーディング処理ユニットによって取得された４つの符号化された信号を移動端末へ送信するよう構成された送信ユニットであって、４つの無線周波数ポートは、４つの符号化された信号と１対１の対応である、送信ユニットと、を含む、基地局が提供される。
【００２２】
本発明の本実施形態では、仮想アンテナマッピング処理およびプリコーディング処理は、４つのベースバンド信号に対して行われ、各符号化された信号は、対応する無線周波数ポートを使用することによって移動端末へ送信される。従って、マルチ・アンテナ・エボリューションの間、無線周波数チャネル上で信号を伝送する電力が閾値を超えないことを確実にするためにセル固有参照信号の電力を低減させる必要はなく、それによってマルチアンテナ技術におけるパイロットカバレッジ能力が改善されうる。
【００２３】
第２の態様を参照して、第２の態様の実施において、ＶＡＭ行列は、
【００２４】
【数３】
2019530340.tif 000005
【００２５】
である。
【００２６】
第２の態様および上述の第２の態様の実施を参照し、第２の態様の他の実施において、ＶＡＭ行列は、以下の行列、すなわち、
【００２７】
【数４】
2019530340.tif 000006
【００２８】
のうちのいずれか１つである。
【００２９】
第２の態様および上述の第２の態様の実施を参照し、第２の態様の他の実施において、基地局は、ロング・ターム・エボリューションLTEにおける進化したNodeB Enbである。
【００３０】
第２の態様および上述の第２の態様の実施を参照し、第２の態様の他の実施において、基地局は、構成情報および無線周波数チャネルによって提供されうる電力に基づいて、ＶＡＭ行列を使用することによって第１のベースバンド信号、第２のベースバンド信号、第３のベースバンド信号、および第４のベースバンド信号を処理することを決定するよう構成された決定ユニットを含む。
【００３１】
本発明の実施形態では、本発明の解決手段を使用することによってベースバンド信号を処理し伝送するかを判定するために、制御スイッチが追加されてもよい。判定ユニットが、構成情報を使用することによって計算を通じて、ベースバンド信号はＶＡＭ行列を使用することによって処理されるべきでないことを知るとき、無線周波数ポートを使用することによって各ベースバンド信号を伝送する電力が、ベースバンド信号がＶＡＭ行列を使用せずに処理されるときに無線周波数チャネルによって提供されうる電力よりも大きい場合は、ベースバンド信号は本発明の解決手段を使用することによって処理され、送信されてもよい。そうでなければ、ベースバンド信号は、既存の解決手段を使用することによって処理され、送信されうる。
【００３２】
本発明の実施形態の第２の態様において設けられる基地局は、第１の態様または第１の態様の可能な実施のうちのいずれか１つによる方法を実行するよう構成されてもよい。具体的には、基地局は、第１の態様または第１の態様の可能な実施のうちのいずれか１つによる方法を実行するよう構成されたユニットを含む。ユニットの有益な効果はまた、第１の態様におけるステップの有益な効果に対応する。繰り返しを避けるため、詳細についてはここでは再び説明しない。
【００３３】
本発明の実施形態における技術的な解決手段をより明確に説明するために、以下、本発明の実施形態を説明するために必要な添付の図面について簡単に説明する。明らかに、以下の説明において添付の図面は本発明のいくつかの実施形態のみを示し、当業者は、創造的な努力なしに、これらの添付の図面から他の図面を導き出しうる。
【図面の簡単な説明】
【００３４】
【図１】本発明の実施形態による信号伝送方法の概略フローチャートである。
【図２】本発明の実施形態による４つのアンテナの異なるポートのパイロットパターンである。
【図３】本発明の他の実施形態による信号伝送の概略図である。
【図４】本発明の実施形態による基地局のブロック図である。
【図５】本発明の他の実施形態による基地局のブロック図である。
【発明を実施するための形態】
【００３５】
以下、本発明の実施形態における添付の図面を参照して本発明の実施形態における技術的な解決手段を明確かつ完全に説明する。明らかに、説明される実施形態は、本発明の実施形態のうちのいくつかであって、全てではない。本発明の実施形態に基づき創造的な努力なしに当業者によって得られるすべての他の実施形態は、本発明の保護範囲に含まれるものとする。
【００３６】
本発明の実施形態における技術的な解決手段は、以下の通信システム、例えば、ロング・ターム・エボリューション（Long Term Evolution, LTE）システムおよび将来のワイヤレス通信システムに適用されうることが理解されるべきである。LTEシステムは、LTE周波数分割複信（Frequency Division Duplex, FDD）システム、LTE時分割複信（Time Division Duplex, TDD）システム等を含む。本発明の実施形態では、説明のための例としてLTEシステムが使用される。
【００３７】
本発明の実施形態におけるユーザ機器（User Equipment, UE）は、端末（Terminal）、移動局（Mobile Station, MS）、移動端末（Mobile Terminal）等と称されうる。ユーザ機器は、無線アクセスネットワーク（Radio Access Network, RAN）を通じて１つ以上のコアネットワークと通信しうる。例えば、ユーザ機器は、移動電話機（あるいは「セルラー」電話機とも称する）または移動端末を伴うコンピュータであってもよい。例えば、ユーザ機器は、無線アクセスネットワークと音声および／またはデータを交換する、携帯型の、ポケットサイズの、ハンドヘルド型の、コンピュータ内蔵型の、または車載用の移動装置でありうる。
【００３８】
本発明の実施形態における基地局は、LTEにおける進化したNodeB（Evolved NodeB, eNB）であってもよく、または将来のワイヤレス通信システムにおける基地局であってもよい。
【００３９】
図１は、本発明の実施形態による信号伝送方法の概略フローチャートである。
【００４０】
101.  基地局は、ＶＡＭ行列を使用することによって、第１のベースバンド信号、第２のベースバンド信号、第３のベースバンド信号、および第４のベースバンド信号を処理し、４つの処理された信号を取得する。４つの処理された信号は、第１の処理された信号、第２の処理された信号、第３の処理された信号、および第４の処理された信号を含む。第１の処理された信号は、第３の処理された信号と同じであり、第２の処理された信号は第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される。
【００４１】
本発明の本実施形態におけるベースバンド信号は、セル固有参照信号（Cell-Specific Reference Signal, CRS）、物理下り共有チャネル（Physical Downlink Shared Channel, PDSCH）上で伝送される信号、パケットブロードキャスト制御チャネル（Packet broadcast Control Channel, PBCCH）上で伝送される信号、物理下り制御チャネル（Physical Downlink Control Channel, PDCCH）上で伝送される信号、物理ハイブリッドARQインジケータチャネル（Physical Hybrid ARQ Indicator Channel, PHICH）上で伝送される信号、物理制御フォーマットインジケータチャネル（Physical Control Format Indicator Channel, PCFICH）上で伝送される信号、プライマリ同期信号（Primary Synchronization Signal, PSS）、セカンダリ同期信号（Secondary Synchronization Signal, SSS）等でありうる。
【００４２】
3GPP LTEプロトコルでは、Type-Aシンボルは、パイロットビットを含まず、シンボル列の中の非パイロット信号を送信するために使用されるリソース・エレメント（Resource Element, RE）シンボルを示し、Type-Bシンボルは、パイロットビットを含み、シンボル列の中の非パイロット信号を送信するために使用されるREシンボルを示す。Paは、パイロット信号を送信するために使用されるREの信号電力に対する非パイロット信号を送信するために使用されるType-AシンボルのREの信号電力のオフセットを表す。例えば、Pa = 0は、非パイロット信号を送信するために使用されるREの信号電力が、パイロット信号を送信するために使用されるREの信号電力と等しいことを示す。Pa = -3は、非パイロット信号を送信するために使用されるREの信号電力が、パイロット信号を送信するために使用されるREの信号電力よりも3dBm低いことを示す。Pbは、Type-Bシンボルを使用することによって信号を伝送する電力に対するType-Aシンボルを使用することによって信号を伝送する電力の比のインジケータ値を表す。例えば、Type-Bシンボルを使用することによって信号を伝送する電力に対するType-Aシンボルを使用することによって信号を伝送する電力の比が2である場合、対応するインジケータ値Pbは3に等しく、Type-Bシンボルを使用することによって信号を伝送する電力に対するType-Aシンボルを使用することによって信号を伝送する電力の比が4/3である場合、対応するインジケータ値Pbは2に等しく、Type-Bシンボルを使用することによって信号を伝送する電力に対するType-Aシンボルを使用することによって信号を伝送する電力の比が1である場合、対応するインジケータ値Pbは1に等しく、Type-Bシンボルを使用することによって信号を伝送する電力に対するType-Aシンボルを使用することによって信号を伝送する電力の比が1.25である場合、対応するインジケータ値Pbは0に等しい。
【００４３】
ベースバンド信号がＶＡＭ行列を使用することによって処理されない場合、無線周波数チャネルを使用することによってベースバンド信号を伝送する信号電力は、構成情報を使用することによって計算を通じて取得されうる。構成情報は、帯域幅、CRSの電力、並びに、PaおよびPbの値を含みうる。
【００４４】
ベースバンド信号に対して一連の処理が行われ、処理されたベースバンド信号が受信端へ送信される前、すなわち、送信器の前段回路において、変調発振回路によって発生される無線周波数信号の電力は非常に小さく、一連の電力増幅動作が行われる必要があり、無線周波数信号は、十分な無線周波数電力が取得された後にのみ伝送のためにアンテナへ供給されうる。十分に大きな無線周波数出力電力を取得するために、無線周波数電力増幅器が使用される必要がある。
【００４５】
本発明の実施形態では、まず、ＶＡＭ行列が第１のベースバンド信号、第２のベースバンド信号、第３のベースバンド信号、および第４のベースバンド信号を処理するために使用されることを決定することができる。具体的には、基地局は、構成情報および無線周波数チャネルによって提供されうる電力に基づいて、４つのベースバンド信号を処理するためにＶＡＭ行列を使用するかどうかを決定しうる。実際の設計では、制御スイッチが追加されうる。構成情報を使用することによって計算を通じて、ベースバンド信号はＶＡＭ行列を使用することによって処理されるべきではないことを知ると、無線周波数ポートを使用することによって各ベースバンド信号を伝送する電力が無線周波数チャネルによって提供されうる電力よりも大きい場合、通常の信号伝送は、従来技術を使用することによっては実施することができない。この場合、ベースバンド信号は、本発明の解決手段を使用することによって処理され、送信されうる。そうでなければ、ベースバンド信号は、既存の解決手段を使用することによって処理され、送信されうる。
【００４６】
本発明の本実施形態では、無線周波数チャネルによって提供されうる電力、すなわち、無線周波数チャネルによって提供されうる最大出力電力は、無線周波数電力増幅器の最大出力電力以下でありうる。例えば、時間−周波数伝送リソースは単一のキャリアまたは複数のキャリアでありうる。時間−周波数伝送リソースが単一のキャリアであるとき、無線周波数チャネルによって提供されうる最大出力電力は、無線周波数電力増幅器の最大出力電力と等しくてもよい。時間−周波数伝送リソースが複数のキャリアであるとき、各無線周波数チャネルについて無線周波数電力増幅器によって提供されうる最大出力電力の和は、無線周波数電力増幅器の最大出力電力に等しくてもよい。換言すれば、時間−周波数伝送リソースが複数のキャリアであるとき、各無線周波数チャネルによって提供されうる最大電力は、無線周波数電力増幅器の最大出力電力よりも低い。
【００４７】
本発明の実施形態では、ベースバンド信号を処理するためにＶＡＭ行列を使用することは、以下の通りでありうる。すなわち、４×４ＶＡＭ行列と４つのベースバンド信号からなる４×１行列とを乗算し、４つの処理された信号からなる４×１行列を取得することである。本発明の実施形態では、すべてのチャネル上での伝送の間、４つのベースバンド信号の各々に対して、同じＶＡＭ行列が使用される。
【００４８】
本発明の実施形態では、各ベースバンド信号は、次のように表されうる。すなわち、対応する信号シーケンスが、無線周波数チャネル上にあり、ＶＡＭを使用することによって処理されない対応する信号の電力と乗算される。４つのベースバンド信号は、４×１行列を構成しうる。
【００４９】
本発明の実施形態では、ベースバンド信号がＶＡＭを使用することによって処理されない場合、無線周波数ポートを使用することによって各ベースバンド信号を伝送する電力は、無線周波数電力増幅器の能力よりも大きくなり、伝送要件を満たさないことがあり、信号は、既存の解決手段を使用することによっては伝送されることができない。この場合、本発明の技術的解決手段が使用されてもよく、ＶＡＭ処理がベースバンド信号に対して実行されることで、無線周波数ポートを使用することによって信号を伝送する電力は、伝送要件を満たし、それにより、通常の信号伝送を確実とする。
【００５０】
本発明の実施形態では、ステップ101の前に、方法は、第１のベースバンド信号、第２のベースバンド信号、第３のベースバンド信号、および第４のベースバンド信号を取得するステップをさらに含みうる。
【００５１】
102.  基地局は、４つの処理された信号に対してプリコーディング処理を行い、４つの符号化された信号を取得する。
【００５２】
４つの処理された信号に対してプリコーディング処理を行うことは、以下の通りでありうる。すなわち、４つの処理された信号および対応するプリコーディング行列を乗算する。プリコーディング行列は、プリコーディング行列標識（Precoding Matrix Indication, PMI）情報に基づいて取得される使用されたコードブックでありうる。
【００５３】
103. 基地局は、４つの無線周波数ポートを使用することによって４つの符号化された信号を移動端末へ送信し、４つの無線周波数ポートは、４つの符号化された信号と１対１の対応である。
【００５４】
４つの符号化された信号は、４つの無線周波数ポートを使用することによって移動端末へ送信される。１つの無線周波数ポートは、１つの符号化された信号を送信するために使用され、各符号化された信号は、少なくとも２つのベースバンド信号を使用することによって取得される。換言すれば、各無線周波数ポートは、少なくとも２つのベースバンド信号の各々の一部を送信するために使用される。従って、各ベースバンド信号は、その電力が伝送要件を満たさないベースバンド信号の通常の伝送を実施するために、少なくとも２つの無線周波数ポートを使用することによって送信される。
【００５５】
本発明の本実施形態では、仮想アンテナマッピング処理およびプリコーディング処理は、４つのベースバンド信号に対して行われ、各符号化された信号は、対応する無線周波数ポートを使用することによって移動端末へ送信される。従って、マルチ・アンテナ・エボリューションの間、無線周波数チャネル上で信号を伝送する電力が閾値を超えないことを確実にするためにセル固有参照信号の電力を低減させる必要はなく、それによってマルチアンテナ技術におけるパイロットカバレッジ能力が改善されうる。
【００５６】
従来技術の解決手段では、2Tから4Tへ品質を向上する過程において電力が２倍にできない場合、無線周波数チャネルが無線周波数電力増幅器の能力を超えないことを確実にするために、CRSは低減されうる。かかる構成により、LTEのパイロットカバレッジはズームアウトされ、従って、マルチアンテナ技術におけるパイロットカバレッジ能力は減少される。本発明の技術的な解決手段によれば、2Tから4Tへ品質を向上させる過程において、無線周波数チャネルが無線周波数電力増幅器の能力を超えず、CRS構成が不変のままであることが確実とされうる。換言すれば、マルチアンテナ技術におけるカバレッジ能力は不変のままである。換言すれば、本発明の技術的な解決手段によれば、マルチアンテナ技術におけるカバレッジ能力は、2Tから4Tへ品質を向上させる過程において、不変のままでありうる。既存の解決手段におけるマルチアンテナ（例えば、4T）技術と比較すると、本発明の技術的解決手段におけるマルチアンテナ（例えば、4T）技術は、パイロットカバレッジ能力を向上しうる。
【００５７】
本発明の実施形態では、基地局は、LTEにおけるeNB、であってもよく、または将来的に本発明に適用されうるワイヤレス通信システムにおける基地局であってもよい。
【００５８】
既存の解決手段では、PaおよびPbの構成は変更されうるため、無線周波数ポートを使用することによって信号を伝送する電力は、無線周波数電力増幅器の能力を超過しない。例えば、帯域幅が20Mであり、2Tから4Tへ品質を向上させる過程において電力が20 Wのままであり、2倍にできないとき、CRSの構成は、18.2 dBmのままであってもよく、2TにおけるPa = -3 およびPb = 1は、Pa = -6 およびPb = 3へ変更される。しかしながら、かかる構成変更は、Type-Bシンボルの電力低減を生じさせる。従って、Type-Bシンボル上の制御信号または物理下りリンク共有チャネルの電力が低減され、ネットワーク性能指数が低減される。本発明の本実施形態によれば、通常の信号伝送は、2Tから4Tへ品質を向上させる過程において依然として行われることができ、CRSおよびPbの構成された値は不変のままであり、電力が閾値を超えないとき、構成は変化しなくともよい。換言すれば、性能が影響を受けないことが確実とされる。
【００５９】
本発明の実施形態では、N個のベースバンド信号があってもよく、Nは、４よりも大きい整数でありうる。この場合、ＶＡＭ行列の各行は、少なくとも２つの非ゼロ要素を含む。この場合、各ベースバンド信号は、送信用の少なくとも２つの無線周波数ポートに割り当てられうる。本発明の本実施形態では、説明のための例として、４つのベースバンド信号のみが使用される。
【００６０】
以下、具体的な例を参照して、本発明の実施形態についてより詳細に説明する。なお、これらの例は、本発明の実施形態の範囲を限定するかわりに、単に当業者が本発明の実施形態をよりよく理解することを助けることを意図したものである。
【００６１】
図２は、本発明の実施形態による４つのアンテナの異なるポートのパイロットパターンである。
【００６２】
3GPP LTEプロトコルでは、Type-Aシンボルは、パイロットを含まず、シンボル列の中の非パイロット信号を送信するために使用されるREシンボルを示し、Type-Bシンボルは、パイロットを含み、シンボル列の中の非パイロット信号を送信するために使用されるREシンボルを示す。ポート（port）0、port 1、port 2、およびport 3は、それぞれ４つのアンテナポート（antenna port）を表すために使用される。図２の（１）、図２の（２）、図２の（３）、および図２の（４）は、４つのアンテナポートのパイロットパターンをそれぞれ表す。図２の２つのタイムスロットにおいて、１つの小さいボックスが１つのREである。小さい黒いボックスは、REがパイロットビットであり、かつ、REは、REが配置されているベースバンド信号中でパイロットを送信するために使用されることを示す。小さい陰影のボックスは、REがパイロットビットであるが、REは、ベースバンド信号中でパイロットを送信するために使用されないことを示す。小さい白いボックスは、REがType-A信号またはType-B信号を送信するために使用されることを示す。図２中の各小さいボックスは１つのREを表し、１つのRBは、12個のREを含み、各列は１つのRBである。水平の小さいボックスは、１つの直交周波数分割多重（Orthogonal Frequency Division Multiplexing, OFDM）シンボルを表し、ＯＦＤＭシンボルは、0から順に番号が付される。
【００６３】
図２において、黒いブロックは、REがパイロットを送信するために使用されることを示すために使用され、陰影の部分は、REが非パイロット信号を送信することもパイロットを送信することもしないことを示すために使用され、白いブロックは、REが非パイロット信号を送信するために使用されることを示すために使用される。プロトコルによれば、４つのベースバンド信号のうちの少なくとも１つは、任意のパイロットビットにおいてパイロットを送信するために使用され、他の信号は非パイロット信号を送信することもパイロットを送信することもない。
【００６４】
第１のベースバンド信号も第２のベースバンド信号も、パイロットビットを含む同じシンボル、たとえば、図２の（１）および図２の（２）中の第２の列において番号1が付されるＯＦＤＭシンボル上で、パイロットを送信するために使用されないことがある。この場合、第３のベースバンド信号および第４のベースバンド信号が、パイロットビット、例えば図２の（３）および図２の（４）中の第２の列において番号1が付されるＯＦＤＭシンボル、においてパイロット信号を送信するために使用されてもよい。加えて、パイロットビットを含む同じシンボルについて、パイロットを送信するためにその上で第１のベースバンド信号が使用されるシンボルのサブキャリアは、パイロットを送信するためにその上で第２のベースバンド信号が使用されるシンボルのサブキャリアとは異なる。加えて、パイロットを送信するためにその上で第１のベースバンド信号が使用されるシンボルのサブキャリアおよびパイロットを送信するためにその上で第２のベースバンド信号が使用されるシンボルのサブキャリアは、一緒に、シンボル上のパイロットビットのために使用されるすべてのサブキャリアを構成する。例えば、図２の（１）および図２の（２）の各々における第１の列は、パイロットを送信するために使用されうる全部で４つのパイロットビットREを含む。図２の（１）中の第１のベースバンド信号中にはパイロットを送信するために使用される２つのREがあり、図２の（２）中の第２のベースバンド信号にもパイロットを送信するために使用される２つのREがある。しかしながら、２つのベースバンド信号中で、パイロットを送信するために使用されるREの場所は重ならない。
【００６５】
このように、図２の（１）中の第１の列において、番号0が付されるＯＦＤＭシンボルは、パイロットを送信するために使用される２つのREと、非パイロットType-B信号を送信するために使用される８つのREと、非パイロット信号を送信するためにもパイロットを送信するためにも使用されない２つのREとを含む。同様に、図２の（２）中の第１の列において、番号0が付されるＯＦＤＭシンボルは、パイロットを送信するために使用される２つのREと、非パイロットType-B信号を送信するために使用される８つのREと、非パイロット信号を送信するためにもパイロットを送信するためにも使用されない２つのREとを含む。このように、異なる無線周波数ポートが使用されるとき、図２の（１）中の番号0が付されるＯＦＤＭシンボル上で信号を伝送する電力は、図２の（２）中の番号0が付されるＯＦＤＭシンボル上で信号を伝送する電力と同じである。同様に、異なる無線周波数ポートが使用されるとき、図２の（３）中の番号0が付されるＯＦＤＭシンボル上で信号を伝送する電力は、図２の（４）中の番号0が付されるＯＦＤＭシンボル上で信号を伝送する電力と同じである。
【００６６】
以下は、ＶＡＭ行列を使用することによって処理されない信号を、１つのRBおよび異なる無線周波数ポートを使用することによって各シンボル上で伝送する信号電力を説明するために、4T4Rにおける構成情報において、帯域幅が20Mであり、CRSの電力が18.2 dBmであり、Pa = -6、およびPb = 1である例を用いる。CRSの電力は、18.2 dBmに設定される。換言すれば、パイロットを送信するために使用される１つのREが信号を伝送する信号電力は、18.2 dBmである。Pa = -6に関して、非パイロットType-A信号を送信するために使用される１つのREが信号を伝送する信号電力は、12.2 dBmである。Pb = 1であれば、Type-Aシンボルを使用することによって信号を伝送する電力は、Type-Bシンボルを使用することによって信号を伝送する電力と同じであり、電力は12.2 dBmに等しい。flow 0、flow 1、flow 2、およびflow 3は、それぞれ、４つのベースバンド信号を表すために使用される。図２の（１）中、ＶＡＭを使用することによって処理されない信号を、第１の無線周波数ポートを使用することによって時間領域における番号0が付されるシンボル（第１のシンボル）および周波数領域における１つのRB（図２の（１）中の第１の列）のリソース上で伝送する信号電力は、18.2 dBm × 2 + 8 × 12.2 dBm = 24.2 dBmである。帯域幅が20Mであること、および100個のRBが使用される必要があることを考慮すると、図２の（１）中の第１の無線周波数ポートAを使用することによって第１のシンボル上で信号を伝送する全電力は、44.2 dBm = 26.49 Wである。なお、単位dBmは、直接加算できず、加算の前にまずミリワットに変換される必要があり、加算結果の単位はその後にワット（W）に変換されることに注意すべきである。
【００６７】
同様に、図２の（１）中、ＶＡＭを使用することによって処理されない信号を、第１の無線周波数ポートを使用することによって第２のシンボルおよび１つのRBのリソース上で伝送する信号電力は、8 × 12.2 dBm = 21.2 dBmである。次に、帯域幅が20Mであること、および合計で100個のRBが使用されること、すなわち21.2 dBmの100倍であることを考慮すると、図２の（１）中の第１の無線周波数ポートAを使用することによって第２のシンボル上で信号を伝送する全電力は41.2 dBmであり、単位の変換後は13.28 Wに等しい。
【００６８】
図２の（１）中、ＶＡＭを使用することによって処理されない信号を、第１の無線周波数ポートを使用することによって第３のシンボルおよび１つのRBのリソース上で伝送する信号電力は、12 × 12.2 dBm = 22.99 dBmである。次に、帯域幅が20Mであること、および合計で100個のRBが使用されること、すなわち、22.99 dBmの100倍であることを考慮すると、図２の（１）中の第１の無線周波数ポート Aを使用することによって第３のシンボル上で信号を伝送する全電力は42.99 dBmであり、単位の変換後は19.92 Wに等しい。
【００６９】
類推すると、帯域幅が20Mであるとき、ＶＡＭを使用することによって処理されない信号を、第１の無線周波数ポートを使用することによって14個のシンボル上で伝送する全電力は、それぞれ、26.49 dBm, 13.28 dBm, 19.92 dBm, 19.92 dBm, 26.49 dBm, 19.92 dBm, 19.92 dBm, 26.49 dBm, 13.28 dBm, 19.92 dBm, 19.92 dBm, 26.49 dBm, 19.92 dBm, および19.92 dBmである。いくつかの計算処理は、他のシンボルおよび他の無線周波数ポートに適用可能である。以下の表１は、ＶＡＭを使用することによって処理されないベースバンド信号を、様々なシンボルを使用することによって伝送する電力を示す。シンボルは、0から13の番号が付され、順に、第１のシンボル、第２のシンボル、第３のシンボル, …, および第１４のシンボルである。
【００７０】
【表１】
2019530340.tif 000007
【００７１】
無線周波数チャネルによって提供されうる最大出力電力が20 Wである場合、表１中のいくつかの電力は、無線周波数電力増幅器の能力を超える。対応するベースバンド信号は従来技術によっては直接伝送されることができない。本発明の実施形態によれば、ＶＡＭ処理は、通常の信号伝送を確実とするために、処理後に取得される電力が、無線周波数チャネルによって提供されうる最大出力電力よりも少ないことを可能としうる。
【００７２】
図3は、本発明の他の実施形態による信号伝送の概念図である。図3中の方法は、基地局によって実行されうる。
【００７３】
port 0, port 1, port 2, および port 3は、４つのアンテナポートをそれぞれ表し、flow 0, flow 1, flow 2,およびflow 3は４つのベースバンド信号をそれぞれ表し、A, B, C, およびDは、信号が４つのポート、すなわち、port 0, port 1, port 2, およびport 3を使用することによって移動端末へ送信されるときの対応する無線周波数出力信号をそれぞれ表す。
【００７４】
301. ４つのベースバンド信号：flow 0, flow 1, flow 2,およびflow 3を取得する。
【００７５】
４つのベースバンド信号：flow 0, flow 1, flow 2,およびflow 3は、４×１行列
【００７６】
【数５】
2019530340.tif 000008
【００７７】
を構成する。
【００７８】
302.  ４×４ＶＡＭ行列と４つのベースバンド信号からなる４×１行列とを乗算して、４×１行列に対応する４つの処理された信号を取得する。
【００７９】
ＶＡＭ行列は、予め構成されてもよく、また、４つのベースバンド信号について実行される位相回転に基づいて異なるＶＡＭ行列が決定されてもよい。例えば、４つのベースバンド信号に対して回転が行われない場合、ＶＡＭ行列は、
【００８０】
【数６】
2019530340.tif 000009
【００８１】
でありうる。
【００８２】
この場合、対応する４つの処理された信号は、以下の通りでありうる。
【００８３】
【数７】
2019530340.tif 000010
【００８４】
具体的には、図3中の４つの無線周波数ポートA, B, C, および Dに対応する４つの処理された信号は、順に、
【００８５】
【数８】
2019530340.tif 000011
【００８６】
である。図３の概略図中に示されるＶＡＭ行列を使用することによって実行される乗算の後に取得される４つのＶＡＭ処理された信号のうち、２つのＶＡＭ処理された信号は、flow 0とflow 2の組み合わせであり、他の２つのＶＡＭ処理された信号は、flow 1とflow 3の組み合わせである。他のＶＡＭ行列もまた使用されうることが理解されるべきである。例えば、ＶＡＭ行列が
【００８７】
【数９】
2019530340.tif 000012
【００８８】
であるとき、４つのＶＡＭ処理された信号のうちの２つはflow 0とflow 3の組み合わせであり、他の２つのＶＡＭ処理された信号はflow 1とflow 2の組み合わせである。他の例として、ＶＡＭ行列が
【００８９】
【数１０】
2019530340.tif 000013
【００９０】
であるとき、４つのＶＡＭ処理された信号のうちの２つは、flow 0とflow 2の組み合わせであり、他の２つのＶＡＭ処理された信号は、flow 1とflow 3の組み合わせである。
【００９１】
以下の表２は、ＶＡＭ行列を使用することによって取得されるＶＡＭ処理された信号が対応する無線周波数ポートから出力される電力を示す。通常の信号伝送を確実とするために、表２中の全ての電力は、無線周波数チャネルによって提供されうる最大出力電力20 Wよりも低いことがわかる。
【００９２】
【表２】
2019530340.tif 000014
【００９３】
例えば、４つのベースバンド信号に対して45度に亘る位相回転が実行される場合、ＶＡＭ行列は、以下のように表されうる。
【００９４】
【数１１】
2019530340.tif 000015
【００９５】
他の例として、４つのベースバンド信号に対して60度に亘る位相回転が実行される場合、ＶＡＭ行列は、以下のように表されうる。
【００９６】
【数１２】
2019530340.tif 000016
【００９７】
他の例として、４つのベースバンド信号に対して90度に亘る位相回転が実行される場合、ＶＡＭ行列は、以下のように表されうる。
【００９８】
【数１３】
2019530340.tif 000017
【００９９】
他の例として、４つのベースバンド信号に対して30度に亘る位相回転が実行される場合、ＶＡＭ行列は、以下のように表されうる。
【０１００】
【数１４】
2019530340.tif 000018
【０１０１】
上述の実施形態におけるＶＡＭ行列は、説明の例のためだけのものであって、ＶＡＭ処理の後に取得される各信号の電力が無線周波数チャネルによって提供されうる最大出力電力よりも小さくなりうるかぎり、ＶＡＭ行列は、本発明における上述の具体的な例に限られないことが理解されるべきである。上述の回転なし、45度に亘って実行される回転、60度に亘って実行される回転、および90度に亘って実行される回転は、ベースバンド信号の位相回転を説明するための例として使用されたにすぎない。しかしながら、ベースバンド信号の回転角は、本発明において限られるものではない。
【０１０２】
本発明の本実施形態におけるＶＡＭ行列は、伝送モード（Transmission Mode, TM）4を満たすだけでなく、TM 9およびTM 10も満たし、さらに、時分割複信（Time Division Duplex, TDD）のTM 7およびTM 8を満たしうる。
【０１０３】
303. 4×4プリコーディング行列と４つの処理された信号に対応する４×１行列とを乗算して、４×１行列に対応する４つの符号化された信号を取得する。
【０１０４】
プリコーディング行列はあらかじめ構成されてもよく、複数の利用可能なプリコーディング行列があってもよい。実際の製品設計において、適切なプリコーディング行列は、プリコーディング処理の後に取得される信号電力に基づき予め設定されたＶＡＭ行列を参照して選択されうる。
【０１０５】
304. ４つの無線周波数ポートを使用することによって４つの符号化された信号を移動端末へ送信し、４つの無線周波数ポートは４つの符号化された信号と１対１の対応である。
【０１０６】
本発明の本実施形態では、仮想アンテナマッピング処理およびプリコーディング処理は、４つのベースバンド信号に対して行われ、４つの符号化された信号は４つの無線周波数ポートを使用することによって移動端末へ送信され、それによって無線周波数ポートを使用することによって信号を伝送する電力は、無線周波数電力増幅器の能力を超えない。従って、マルチ・アンテナ・エボリューションの間、無線周波数チャネル上で信号を伝送する電力が閾値を超えないことを確実にするためにセル固有参照信号の電力を低減させる必要はなく、それによって、マルチアンテナ技術におけるパイロットカバレッジ能力が改善されうる。
【０１０７】
上述のことは、図１から図３を参照して本発明の実施形態による信号伝送方法を詳細に説明する。以下は、図４および図５を参照して、本発明の実施形態による信号伝送 装置、すなわち基地局を説明する。
【０１０８】
図４は、本発明の実施形態による基地局のブロック図である。図４中の基地局10は、取得ユニット11、ＶＡＭ処理ユニット 12、プリコーディング処理ユニット13、および送信ユニット14を含む。
【０１０９】
仮想アンテナマッピングＶＡＭ処理ユニット11は、ＶＡＭ行列を使用することによって第１のベースバンド信号、第２のベースバンド信号、第３のベースバンド信号、および第４のベースバンド信号を処理し、４つの処理された信号を取得するよう構成され、４つの処理された信号は、第１の処理された信号、第２の処理された信号、第３の処理された信号、および第４の処理された信号を含み、第１の処理された信号は、第３の処理された信号と同じであり、第２の処理された信号は、第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される。
【０１１０】
プリコーディング処理ユニット12は、４つの符号化された信号を取得するために、ＶＡＭ処理ユニットによって取得された４つの処理された信号に対してプリコーディング処理を行うよう構成される。
【０１１１】
送信ユニット13は、プリコーディング処理ユニットによって取得された４つの符号化された信号を４つの無線周波数ポートを使用することによって移動端末へ送信するよう構成され、４つの無線周波数ポートは、４つの符号化された信号と１対１の対応である。
【０１１２】
本発明の本実施形態では、仮想アンテナマッピング処理およびプリコーディング処理は、４つのベースバンド信号に対して行われ、各符号化された信号は、対応する無線周波数ポートを使用することによって移動端末へ送信される。従って、マルチ・アンテナ・エボリューションの間、無線周波数チャネル上で信号を伝送する電力が閾値を超えないことを確実にするためにセル固有参照信号の電力を低減させる必要はなく、それによってマルチアンテナ技術におけるパイロットカバレッジ能力が改善されうる。
【０１１３】
本発明の本実施形態による基地局は、本発明の実施形態における信号伝送方法に対応しうるものであり、上述の基地局のユニット／モジュール、ならびに、他の動作および／または機能は、図１および図３に示す方法の対応する手順を実行することがそれぞれ意図される。簡潔さのため、詳細はここでは再びは説明されない。
【０１１４】
図５は、本発明の他の実施形態による基地局のブロック図である。図５中、基地局２０は、送信器２１、プロセッサ２２、およびメモリ２３を含む。プロセッサ２２は、基地局２０の動作を制御し、信号を処理するよう構成されうる。メモリ２３は、読み出し専用メモリおよびランダムアクセスメモリを含んでもよく、プロセッサ２２に命令およびデータを与える。基地局２０の構成要素は、バスシステム２４を使用することによって互いにつながれている。データバスに加え、バスシステム２４は、電力バス、制御バス、およびステータス信号バスをさらに含む。しかしながら、説明の明りょう性のため、図中、様々なバスがバスシステム２４として示されている。
【０１１５】
本発明の上述の実施形態において開示される方法は、送信器２１およびプロセッサ２２に対して適用されてもよく、または送信器２１およびプロセッサ２２によって実施されてもよい。実施プロセスにおいて、上述の方法のステップは、プロセッサ２２の中のハードウエアの集積論理回路またはソフトウエアの形の命令を使用することによって完成されうる。プロセッサ２２は、汎用プロセッサ、ディジタル信号プロセッサ、特定用途向け集積回路、フィールド・プログラマブル・ゲート・アレイまたは他のプログラマブル論理デバイス、別個のゲートまたはトランジスタ論理デバイス、または別個のハードウエア部品であってもよく、本発明の実施形態において開示される方法、ステップ、および論理ブロック図を実施または実行しうる。汎用プロセッサは、マイクロプロセッサ、いかなる従来のプロセッサ、等であってもよい。本発明の実施形態において開示される方法のステップは、ハードウエアプロセッサによって直接実行され、完了されてもよく、または、プロセッサ内のハードウエアとソフトウエアモジュールの組み合わせを使用することによって実行され、完了されてもよい。ソフトウエアモジュールは、ランダムアクセスメモリ、フラッシュメモリ、読み出し専用メモリ、プログラマブル読み出し専用メモリ、電気的に消去可能なプログラマブル・メモリ、またはレジスタといった技術分野において成熟した記憶媒体の中に配置されてもよい。記憶媒体は、メモリ２３の中に配置され、プロセッサ２２は、メモリ２３の中の情報を読み出し、プロセッサ２２のハードウエアと一緒に上述の方法のステップを完了する。
【０１１６】
具体的には、プロセッサ２２は、ＶＡＭ行列を使用することによって、第１のベースバンド信号、第２のベースバンド信号、第３のベースバンド信号、および第４のベースバンド信号を処理し、４つの処理された信号を取得し、４つの処理された信号に対してプリコーディング処理を行うことで４つの符号化された信号を取得してもよい。４つの処理された信号は、第１の処理された信号、第２の処理された信号、第３の処理された信号、および第４の処理された信号を含み、第１の処理された信号は第３の処理された信号と同じであり、第２の処理された信号は第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される。
【０１１７】
送信器２１は、４つの無線周波数ポートを使用することによって、４つの符号化された信号を移動端末へ送信してもよく、４つの無線周波数ポートは、４つの符号化された信号と１対１の対応である。
【０１１８】
本発明の本実施形態では、仮想アンテナマッピング処理およびプリコーディング処理は、４つのベースバンド信号に対して行われ、各符号化された信号は、対応する無線周波数ポートを使用することによって移動端末へ送信される。従って、マルチ・アンテナ・エボリューションの間、無線周波数チャネル上で信号を伝送する電力が閾値を超えないことを確実にするためにセル固有参照信号の電力を低減させる必要はなく、それによってマルチアンテナ技術におけるパイロットカバレッジ能力が改善されうる。
【０１１９】
本発明の本実施形態による基地局は、本発明の実施形態における信号伝送方法に対応しうるものであり、上述の基地局のユニット／モジュール、ならびに、他の動作および／または機能は、図１および図３に示す方法の対応する手順を実行することがそれぞれ意図される。簡潔さのため、詳細はここでは再びは説明されない。
【０１２０】
明細書全体において記載されている「１つの実施形態」または「実施形態」は、実施形態に関連する特定の特徴、構造、または特性が、本発明の少なくとも１つの実施形態に含まれることを意味することが理解されるべきである。従って、明細書を通じて現れる「１つの実施形態において」または「実施形態において」は、同じ実施形態を示さない。加えて、これらの特定の特徴、構造又特性は、任意の適切な方法で、１つ以上の実施形態と組み合わせられてもよい。
【０１２１】
上述のプロセスの連続番号は、本発明の実施形態における実行順序を意味するものではないことが理解されるべきである。プロセスの実行順序は、プロセスの機能および内部ロジックに基づいて決定されるべきであり、本発明の実施形態の実施プロセスに対するいかなる限定とも解釈されるべきではない。
【０１２２】
本発明の実施形態において、「Aに対応するB」は、BがAと関連付けられ、BがAによって決定されうることを示すことが理解されるべきである。しかしながら、AによってBを決定することは、BがAのみによって決定されることを意味するものではなく、換言すれば、BはAおよび／または他の情報によって決定されうることがさらに理解されるべきである。
【０１２３】
本明細書中の用語「および／または」は、関連付けられた対象を説明するために関連付け関係を説明するものであり、３つの関係が存在しうることを表すことが理解されるべきである。例えば、Aおよび／またはBは、次の３つの場合、すなわち、Aのみが存在すること、AおよびBの双方が存在すること、並びに、Bのみが存在することを示しうる。加えて、本明細書において文字「／」は、関連付けられた対象の間の「または」の関係を概して示す。
【０１２４】
本技術分野において通常の知識を有する者は、本明細書において開示された実施形態において説明された例と組み合わせて、ユニットおよびアルゴリズムのステップは、電子ハードウエアまたはコンピュータソフトウエアと電子ハードウエアの組み合わせによって実施されうることを知りうる。機能がハードウエアまたはソフトウエアによって実行されるかは、技術的解決手段の特定の用途および設計上の制約条件に依存する。当業者は、各特定の用途について上述の機能を実施するために異なる方法を使用しうるが、実施は本発明の範囲を超えると考えられるべきではない。
【０１２５】
当業者によれば、便宜的かつ簡便な説明の目的のため、上述のシステム、装置、およびユニットの詳細な動作プロセスは、上述の方法の実施形態における対応するプロセスを参照するものであり、詳細はここでは再びは説明されないことが明らかに理解されうる。
【０１２６】
本明細書において与えられる幾つかの実施形態では、開示されたシステム、装置、および方法は、他の方法で実施されうることが理解されるべきである。例えば、上述の装置の実施形態は、単なる例である。例えば、ユニット分割は、単なる論理的な機能分割であり、実際の実施においては他の分割であってもよい。例えば、複数のユニット若しくは部品が組み合わされ、または他のシステムと統合されてもよく、またはいくつかの特徴が無視され、または実行されなくともよい。加えて、表示された若しくは検討された相互の結合、または直接的な結合、または通信接続は、いくつかのインタフェースを使用することによって実施されうる。装置またはユニットの間の間接的な結合または通信接続は、電気的、機械的、または他の形で実施されうる。
【０１２７】
別々の部分として説明されたユニットは、物理的に離れていてもいなくてもよく、ユニットとして表示された部分は、物理的なユニットであってもなくともよく、１つの位置に配置されてもよく、または、複数のネットワークユニット上に分散されてもよい。ユニットのうちのいくつかまたはすべては、実施形態の解決手段の目的を達成するために実施の要件に基づいて選択されてもよい。
【０１２８】
加えて、本発明の実施形態の機能的なユニットは、１つの処理ユニットに統合されてもよく、または各ユニットは物理的に単独で存在してもよく、あるいは２つ以上のユニットが１つのユニットに統合されてもよい。
【０１２９】
機能がソフトウエア機能ユニットの形で実施され、独立した製品として販売または使用されるとき、機能は、コンピュータ可読記憶媒体中に格納されうる。かかる理解に基づいて、本発明の技術的解決手段は、本質的には、または従来技術に寄与する部分は、または技術的解決手段のいくつかは、ソフトウエア製品の形で実施されうる。コンピュータソフトウエア製品は、記憶媒体に格納され、コンピュータ装置（パーソナルコンピュータ、サーバ、ネットワークデバイス等でありうる）に対して、本発明の実施形態において説明された方法の全てまたはいくつかのステップを実行するよう命令するいくつかの命令を含む。上述の記憶媒体は、USBフラッシュドライブ、リムーバブルハードディスク、読み出し専用メモリ（Read-Only Memory, ROM）、ランダムアクセスメモリ（Random Access Memory, RAM）、磁気ディスク、または光ディスクといった、プログラムコードを格納しうるいかなる媒体も含む。
【０１３０】
上述の説明は、本発明の具体的な実施にすぎず、本発明の保護範囲を制限することを意図したものではない。本発明で開示された技術的範囲内で当業者によって容易に想到しうるいかなる変形もしくは置換も、本発明の保護範囲内にあるものとする。従って、本発明の保護範囲は、請求項の保護範囲に従うものである。
【符号の説明】
【０１３１】
１０  基地局
１１  ＶＡＭ処理ユニット
１２  プリコーディングユニット
１３  送信ユニット
【図１】
2019530340.tif 000023
【図２】
2019530340.tif 000024
【図３】
2019530340.tif 000025
【図４】
2019530340.tif 000026
【図５】
2019530340.tif 000027
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
信号伝送方法であって、
基地局によって、仮想アンテナマッピング（ＶＡＭ）行列を使用することによって、第１のベースバンド信号、第２のベースバンド信号、第３のベースバンド信号、および第４のベースバンド信号を処理し、４つの処理された信号を取得するステップであって、前記４つの処理された信号は、第１の処理された信号、第２の処理された信号、第３の処理された信号、および第４の処理された信号を含み、前記第１の処理された信号は、前記第３の処理された信号と同じであり、前記第２の処理された信号は、前記第４の処理された信号と同じであり、前記第１の処理された信号は、前記第１のベースバンド信号および前記第３のベースバンド信号に対して重畳を行うことによって取得され、前記第２の処理された信号は、前記第２のベースバンド信号および前記第４のベースバンド信号に対して重畳を行うことによって取得される、ステップと、
前記基地局によって、前記４つの処理された信号に対してプリコーディング処理を行い、４つの符号化された信号を取得するステップと、
前記基地局によって、４つの無線周波数ポートを使用することによって、前記４つの符号化された信号を移動端末へ送信するステップであって、前記４つの無線周波数ポートは、前記４つの符号化された信号と１対１の対応である、ステップと、
を含む、信号伝送方法。
【請求項２】
前記ＶＡＭ行列は、
【数１】
2019530340.tif 000028
である、請求項１に記載の方法。
【請求項３】
前記ＶＡＭ行列は、以下の行列、すなわち、
【数２】
2019530340.tif 000029
のうちのいずれか１つである、請求項１に記載の方法。
【請求項４】
前記基地局は、ロング・ターム・エボリューション（LTE）における進化したNodeB （eNB）である、請求項１から３のいずれか一項に記載の方法。
【請求項５】
構成情報および無線周波数チャネルによって提供されうる電力に基づいて前記基地局により、前記ＶＡＭ行列を使用することによって前記第１のベースバンド信号、前記第２のベースバンド信号、前記第３のベースバンド信号、および前記第４のベースバンド信号を処理することを決定するステップをさらに含む、請求項１から４のいずれか一項に記載の方法。
【請求項６】
基地局であって、
仮想アンテナマッピングＶＡＭ行列を使用することによって、第１のベースバンド信号、第２のベースバンド信号、第３のベースバンド信号、および第４のベースバンド信号を処理し、４つの処理された信号を取得するよう構成されたＶＡＭ処理ユニットであって、前記４つの処理された信号は、第１の処理された信号、第２の処理された信号、第３の処理された信号、および第４の処理された信号を含み、前記第１の処理された信号は、前記第３の処理された信号と同じであり、前記第２の処理された信号は、前記第４の処理された信号と同じであり、前記第１の処理された信号は、前記第１のベースバンド信号および前記第３のベースバンド信号に対して重畳を行うことによって取得され、前記第２の処理された信号は、前記第２のベースバンド信号および前記第４のベースバンド信号に対して重畳を行うことによって取得される、仮想アンテナマッピングＶＡＭ処理ユニットと、
前記ＶＡＭ行列処理ユニットによって取得された前記４つの処理された信号に対してプリコーディング処理を行い、４つの符号化された信号を取得するよう構成されたプリコーディング処理ユニットと、
４つの無線周波数ポートを使用することによって、前記プリコーディング処理ユニットによって取得された前記４つの符号化された信号を移動端末へ送信するよう構成された送信ユニットであって、前記４つの無線周波数ポートは、前記４つの符号化された信号と１対１の対応である、送信ユニットと、
を含む、基地局。
【請求項７】
前記ＶＡＭ行列は、
【数３】
2019530340.tif 000030
である、請求項６に記載の基地局。
【請求項８】
前記ＶＡＭ行列は、以下の行列、すなわち、
【数４】
2019530340.tif 000031
のうちのいずれか１つである、請求項６に記載の基地局。
【請求項９】
前記基地局は、ロング・ターム・エボリューション（LTE）における進化したNodeB （eNB）である、請求項６から８のいずれか一項に記載の基地局。
【請求項１０】
前記基地局は、構成情報および無線周波数チャネルによって提供されうる電力に基づいて、前記ＶＡＭ行列を使用することによって前記第１のベースバンド信号、前記第２のベースバンド信号、前記第３のベースバンド信号、および前記第４のベースバンド信号を処理することを決定するよう構成された決定ユニットを含む、請求項６から９のいずれか一項に記載の基地局。
【請求項１１】
コンピュータ読み取り可能な媒体であって、プログラムコードを格納するよう構成され、前記プログラムコードは、請求項１から５のいずれか一項に記載の方法を実行するための命令を含む、コンピュータ読み取り可能な媒体。
【手続補正２】
【補正対象書類名】明細書
【補正対象項目名】０００２
【補正方法】変更
【補正の内容】
【０００２】
マルチアンテナ伝送技術は、送信端および受信端において、データを送信および受信するために複数のアンテナが使用されることを意味する。マルチアンテナ伝送技術は、空間資源を十分に活用し、無線チャネルの有効帯域幅を増加させ、通信システムの容量を大きく増加させ、ローカルエリアネットワークの伝送速度を加速させることができる。現在、マルチアンテナ技術は、第３世代パートナーシップ・プロジェクト（3GPP）のロング・ターム・エボリューション（LTE）の技術仕様に、重要な特徴として導入されている。ネットワークアプリケーションは急速に発展するため、マルチアンテナ・ワイヤレス・ネットワーク装置はより良い選択肢である。
【手続補正３】
【補正対象書類名】明細書
【補正対象項目名】０００３
【補正方法】変更
【補正の内容】
【０００３】
従来技術の解決手段では、2T（Transmit）2R（Receive）が4T4Rへ進化する過程において電力が２倍にできず、例えば、2T2Rでの電力が2×40 Wであり、また、費用のために、2T2Rが4T4Rへ進化された後に電力が4×40 Wに変換されることができず、4×20 Wに設定できるのみである場合、セル固有参照信号（CRS）の電力は、信号を出力する電力が無線周波数電力増幅器（PA）の能力を超えないことを確実にするよう低減される必要がある。よって、パイロットカバレッジが減少し、LTEユーザはセルハンドオーバーを実行し、若しくは隣接セルを再選択し、または、ネットワーク切断および通話切れが生ずる。結果として、端末のユーザエクスペリエンスが影響を受ける。
【手続補正４】
【補正対象書類名】明細書
【補正対象項目名】０００５
【補正方法】変更
【補正の内容】
【０００５】
第１の態様によれば、基地局によって、仮想アンテナマッピング（VAM）行列を使用することによって、第１のベースバンド信号、第２のベースバンド信号、第３のベースバンド信号、および第４のベースバンド信号を処理し、４つの処理された信号を取得するステップであって、４つの処理された信号は、第１の処理された信号、第２の処理された信号、第３の処理された信号、および第４の処理された信号を含み、第１の処理された信号は、第３の処理された信号と同じであり、第２の処理された信号は、第４の処理された信号と同じであり、第１の処理された信号は、第１のベースバンド信号および第３のベースバンド信号に対して重畳を行うことによって取得され、第２の処理された信号は、第２のベースバンド信号および第４のベースバンド信号に対して重畳を行うことによって取得される、ステップと、基地局によって、４つの処理された信号に対してプリコーディング処理を行い、４つの符号化された信号を取得するステップと、基地局によって、４つの無線周波数ポートを使用することによって、４つの符号化された信号を移動端末へ送信するステップであって、４つの無線周波数ポートは、４つの符号化された信号と１対１の対応である、ステップと、を含む、信号伝送方法が提供される。
【手続補正５】
【補正対象書類名】明細書
【補正対象項目名】００１４
【補正方法】変更
【補正の内容】
【００１４】
本発明の実施形態では、ＶＡＭ行列を使用することによって第１のベースバンド信号、第２のベースバンド信号、第３のベースバンド信号、および第４のベースバンド信号を処理することは、４×４ＶＡＭ行列と４つのベースバンド信号からなる４×１行列とを乗算し、４×１行列に対応する４つの処理された信号を取得することでありうる。
【手続補正６】
【補正対象書類名】明細書
【補正対象項目名】００１５
【補正方法】変更
【補正の内容】
【００１５】
第１の態様および上述の第１の態様の実施を参照して、第１の態様の他の実施において、基地局は、ロング・ターム・エボリューション（LTE）における進化したNodeB（eNB）である。
【手続補正７】
【補正対象書類名】明細書
【補正対象項目名】００１７
【補正方法】変更
【補正の内容】
【００１７】
構成情報を使用することによって計算を通じて、ベースバンド信号はＶＡＭ行列を使用することによって処理されるべきではないことを知ることができるとき、無線周波数ポートを使用することによって各ベースバンド信号を伝送する電力が無線周波数チャネルによって提供されうる電力よりも大きい場合、通常の信号伝送は、従来技術を使用することによっては実施することができない。この場合、ベースバンド信号は、本発明の解決手段を使用することによって処理され、送信されうる。そうでなければ、ベースバンド信号は、既存の解決手段を使用することによって処理され、送信されうる。
【手続補正８】
【補正対象書類名】明細書
【補正対象項目名】００１９
【補正方法】変更
【補正の内容】
【００１９】
本発明の実施形態では、本発明の解決手段を使用することによってＮ個のベースバンド信号がさらに処理されてもよいため、各無線周波数ポートにより信号を出力する電力は無線周波数チャネルによって提供されうる電力よりも大きくなく、Ｎは４よりも大きい整数であってもよい。この場合、ＶＡＭ行列の各列は、少なくとも２つの非ゼロ要素を含むため、各ベースバンド信号は少なくとも２つのポートから出力されうる。
【手続補正９】
【補正対象書類名】明細書
【補正対象項目名】００２９
【補正方法】変更
【補正の内容】
【００２９】
第２の態様および上述の第２の態様の実施を参照し、第２の態様の他の実施において、基地局は、ロング・ターム・エボリューション（LTE）における進化したNodeB（eNB）である。
【手続補正１０】
【補正対象書類名】明細書
【補正対象項目名】００３５
【補正方法】変更
【補正の内容】
【００３５】
以下、本発明の実施形態における添付の図面を参照して本発明の実施形態における技術的な解決手段を明確に説明する。明らかに、説明される実施形態は、本発明の実施形態のうちのいくつかであって、全てではない。本発明の実施形態に基づき創造的な努力なしに当業者によって得られるすべての他の実施形態は、本発明の保護範囲に含まれる
【手続補正１１】
【補正対象書類名】明細書
【補正対象項目名】００３６
【補正方法】変更
【補正の内容】
【００３６】
本発明の実施形態における技術的な解決手段は、以下の通信システム、例えば、ロング・ターム・エボリューション（LTE）システムおよび将来のワイヤレス通信システムに適用されうることが理解されるべきである。LTEシステムは、LTE周波数分割複信（FDD）システム、LTE時分割複信（TDD）システム等を含む。本発明の実施形態では、説明のための例としてLTEシステムが使用される。
【手続補正１２】
【補正対象書類名】明細書
【補正対象項目名】００３７
【補正方法】変更
【補正の内容】
【００３７】
本発明の実施形態におけるユーザ機器（UE）は、端末（Terminal）、移動局（MS）、移動端末（Mobile Terminal）等と称されうる。ユーザ機器は、無線アクセスネットワーク（RAN）を通じて１つ以上のコアネットワークと通信しうる。例えば、ユーザ機器は、移動電話機（あるいは「セルラー」電話機とも称する）または移動端末を伴うコンピュータであってもよい。例えば、ユーザ機器は、無線アクセスネットワークと音声および／またはデータを交換する、携帯型の、ポケットサイズの、ハンドヘルド型の、コンピュータ内蔵型の、または車載用の移動装置でありうる。
【手続補正１３】
【補正対象書類名】明細書
【補正対象項目名】００３８
【補正方法】変更
【補正の内容】
【００３８】
本発明の実施形態における基地局は、LTEにおける進化したNodeB（eNB）であってもよく、または将来のワイヤレス通信システムにおける基地局であってもよい。
【手続補正１４】
【補正対象書類名】明細書
【補正対象項目名】００４１
【補正方法】変更
【補正の内容】
【００４１】
本発明の本実施形態におけるベースバンド信号は、セル固有参照信号（CRS）、物理下り共有チャネル（PDSCH）上で伝送される信号、パケットブロードキャスト制御チャネル（PBCCH）上で伝送される信号、物理下り制御チャネル（PDCCH）上で伝送される信号、物理ハイブリッドARQインジケータチャネル（PHICH）上で伝送される信号、物理制御フォーマットインジケータチャネル（PCFICH）上で伝送される信号、プライマリ同期信号（PSS）、セカンダリ同期信号（SSS）等でありうる。
【手続補正１５】
【補正対象書類名】明細書
【補正対象項目名】００４２
【補正方法】変更
【補正の内容】
【００４２】
3GPP LTEプロトコルでは、Type-Aシンボルは、パイロットビットを含まず、シンボル列の中の非パイロット信号を送信するために使用されるリソース・エレメント（RE）シンボルを示し、Type-Bシンボルは、パイロットビットを含み、シンボル列の中の非パイロット信号を送信するために使用されるREシンボルを示す。Paは、パイロット信号を送信するために使用されるREの信号電力に対する非パイロット信号を送信するために使用されるType-AシンボルのREの信号電力のオフセットを表す。例えば、Pa = 0は、非パイロット信号を送信するために使用されるREの信号電力が、パイロット信号を送信するために使用されるREの信号電力と等しいことを示す。Pa = -3は、非パイロット信号を送信するために使用されるREの信号電力が、パイロット信号を送信するために使用されるREの信号電力よりも3dBm低いことを示す。Pbは、Type-Bシンボルを使用することによって信号を伝送する電力に対するType-Aシンボルを使用することによって信号を伝送する電力の比のインジケータ値を表す。例えば、Type-Bシンボルを使用することによって信号を伝送する電力に対するType-Aシンボルを使用することによって信号を伝送する電力の比が2である場合、対応するインジケータ値Pbは3に等しく、Type-Bシンボルを使用することによって信号を伝送する電力に対するType-Aシンボルを使用することによって信号を伝送する電力の比が4/3である場合、対応するインジケータ値Pbは2に等しく、Type-Bシンボルを使用することによって信号を伝送する電力に対するType-Aシンボルを使用することによって信号を伝送する電力の比が1である場合、対応するインジケータ値Pbは1に等しく、Type-Bシンボルを使用することによって信号を伝送する電力に対するType-Aシンボルを使用することによって信号を伝送する電力の比が1.25である場合、対応するインジケータ値Pbは0に等しい。
【手続補正１６】
【補正対象書類名】明細書
【補正対象項目名】００４６
【補正方法】変更
【補正の内容】
【００４６】
本発明の本実施形態では、無線周波数チャネルによって提供されうる電力、すなわち、無線周波数チャネルによって提供されうる最大出力電力は、無線周波数電力増幅器の最大出力電力以下でありうる。例えば、時間−周波数伝送リソースは単一のキャリアまたは複数のキャリアでありうる。時間−周波数伝送リソースが単一のキャリアであるとき、無線周波数チャネルによって提供されうる最大出力電力は、無線周波数電力増幅器の最大出力電力と等しくてもよい。時間−周波数伝送リソースが複数のキャリアであるとき、各無線周波数チャネルについて無線周波数電力増幅器によって提供されうる最大出力電力の和は、無線周波数電力増幅器の最大出力電力に等しくてもよい。換言すれば、時間−周波数伝送リソースが複数のキャリアであるとき、各無線周波数チャネルによって提供されうる最大出力電力は、無線周波数電力増幅器の最大出力電力よりも低い。
【手続補正１７】
【補正対象書類名】明細書
【補正対象項目名】００４８
【補正方法】変更
【補正の内容】
【００４８】
本発明の実施形態では、各ベースバンド信号は、次のように表されうる。すなわち、対応する信号シーケンスが、無線周波数チャネル上にあり、ＶＡＭ行列を使用することによって処理されない対応する信号の電力と乗算される。４つのベースバンド信号は、４×１行列を構成しうる。
【手続補正１８】
【補正対象書類名】明細書
【補正対象項目名】００４９
【補正方法】変更
【補正の内容】
【００４９】
本発明の実施形態では、ベースバンド信号がＶＡＭ行列を使用することによって処理されない場合、無線周波数ポートを使用することによって各ベースバンド信号を伝送する電力は、無線周波数電力増幅器の能力よりも大きくなり、伝送要件を満たさないことがあり、信号は、既存の解決手段を使用することによっては伝送されることができない。この場合、本発明の技術的解決手段が使用されてもよく、ＶＡＭ処理がベースバンド信号に対して実行されることで、無線周波数ポートを使用することによって信号を伝送する電力は、伝送要件を満たし、それにより、通常の信号伝送を確実とする。
【手続補正１９】
【補正対象書類名】明細書
【補正対象項目名】００５２
【補正方法】変更
【補正の内容】
【００５２】
４つの処理された信号に対してプリコーディング処理を行うことは、以下の通りでありうる。すなわち、４つの処理された信号および対応するプリコーディング行列を乗算する。プリコーディング行列は、プリコーディング行列標識（PMI）情報に基づいて取得される使用されたコードブックでありうる。
【手続補正２０】
【補正対象書類名】明細書
【補正対象項目名】００５６
【補正方法】変更
【補正の内容】
【００５６】
従来技術の解決手段では、2Tから4Tへ品質を向上する過程において電力が２倍にできない場合、無線周波数チャネルの最大電力が無線周波数電力増幅器の能力を超えないことを確実にするために、CRSの電力は低減されうる。かかる構成により、LTEのパイロットカバレッジはズームアウトされ、従って、マルチアンテナ技術におけるパイロットカバレッジ能力は減少される。本発明の技術的な解決手段によれば、2Tから4Tへ品質を向上させる過程において、無線周波数チャネルの最大電力が無線周波数電力増幅器の能力を超えず、CRS構成が不変のままであることが確実とされうる。換言すれば、マルチアンテナ技術におけるカバレッジ能力は不変のままである。換言すれば、本発明の技術的な解決手段によれば、マルチアンテナ技術におけるカバレッジ能力は、2Tから4Tへ品質を向上させる過程において、不変のままでありうる。既存の解決手段におけるマルチアンテナ（例えば、4T）技術と比較すると、本発明の技術的解決手段におけるマルチアンテナ（例えば、4T）技術は、パイロットカバレッジ能力を向上しうる。
【手続補正２１】
【補正対象書類名】明細書
【補正対象項目名】００６２
【補正方法】変更
【補正の内容】
【００６２】
3GPP LTEプロトコルでは、Type-Aシンボルは、パイロットビットを含まず、シンボル列の中の非パイロット信号を送信するために使用されるREシンボルを示し、Type-Bシンボルは、パイロットビットを含み、シンボル列の中の非パイロット信号を送信するために使用されるREシンボルを示す。ポート（port）0、port 1、port 2、およびport 3は、それぞれ４つのアンテナポート（antenna port）を表すために使用される。FIG. 2-1、FIG. 2-2、FIG. 2-3、およびFIG. 2-4は、４つのアンテナポートのパイロットパターンをそれぞれ表す。図２の２つのタイムスロットにおいて、１つの小さいボックスが１つのREである。小さい黒いボックスは、REがパイロットビットであり、かつ、REは、REが配置されているベースバンド信号中でパイロットビットを送信するために使用されることを示す。小さい陰影のボックスは、REがパイロットビットであるが、REは、ベースバンド信号中でパイロットビットを送信するために使用されないことを示す。小さい白いボックスは、REがType-A信号またはType-B信号を送信するために使用されることを示す。図２中の各小さいボックスは１つのREを表し、１つのRBは、12個のREを含み、各列は１つのRBである。水平の小さいボックスは、１つの直交周波数分割多重（OFDM）シンボルを表し、ＯＦＤＭシンボルは、0から順に番号が付される。
【手続補正２２】
【補正対象書類名】明細書
【補正対象項目名】００６３
【補正方法】変更
【補正の内容】
【００６３】
図２において、黒いブロックは、REがパイロットビットを送信するために使用されることを示すために使用され、陰影の部分は、REが非パイロット信号を送信することもパイロットビットを送信することもしないことを示すために使用され、白いブロックは、REが非パイロット信号を送信するために使用されることを示すために使用される。プロトコルによれば、４つのベースバンド信号のうちの少なくとも１つは、任意のパイロットビットにおいてパイロットビットを送信するために使用され、他の信号は非パイロット信号を送信することもパイロットビットを送信することもない。
【手続補正２３】
【補正対象書類名】明細書
【補正対象項目名】００６４
【補正方法】変更
【補正の内容】
【００６４】
第１のベースバンド信号も第２のベースバンド信号も、パイロットビットを含む同じシンボル、たとえば、FIG. 2-1およびFIG. 2-2中の第２の列において番号1が付されるＯＦＤＭシンボル上で、パイロットビットを送信するために使用されないことがある。この場合、第３のベースバンド信号および第４のベースバンド信号が、パイロットビット、例えばFIG. 2-3およびFIG. 2-4中の第２の列において番号1が付されるＯＦＤＭシンボル、においてパイロットビット信号を送信するために使用されてもよい。加えて、パイロットビットを含む同じシンボルについて、パイロットビットを送信するためにその上で第１のベースバンド信号が使用されるシンボルのサブキャリアは、パイロットビットを送信するためにその上で第２のベースバンド信号が使用されるシンボルのサブキャリアとは異なる。加えて、パイロットビットを送信するためにその上で第１のベースバンド信号が使用されるシンボルのサブキャリアおよびパイロットビットを送信するためにその上で第２のベースバンド信号が使用されるシンボルのサブキャリアは、一緒に、シンボル上のパイロットビットのために使用されるすべてのサブキャリアを構成する。例えば、FIG. 2-1およびFIG. 2-2の各々における第１の列は、パイロットビットを送信するために使用されうる全部で４つのパイロットビットREを含む。FIG. 2-1中の第１のベースバンド信号中にはパイロットビットを送信するために使用される２つのREがあり、FIG. 2-2中の第２のベースバンド信号にもパイロットビットを送信するために使用される２つのREがある。しかしながら、２つのベースバンド信号中で、パイロットビットを送信するために使用されるREの場所は重ならない。
【手続補正２４】
【補正対象書類名】明細書
【補正対象項目名】００６５
【補正方法】変更
【補正の内容】
【００６５】
このように、FIG. 2-1中の第１の列において、番号0が付されるＯＦＤＭシンボルは、パイロットビットを送信するために使用される２つのREと、非パイロットType-B信号を送信するために使用される８つのREと、非パイロット信号を送信するためにもパイロットビットを送信するためにも使用されない２つのREとを含む。同様に、FIG. 2-2中の第１の列において、番号0が付されるＯＦＤＭシンボルは、パイロットビットを送信するために使用される２つのREと、非パイロットType-B信号を送信するために使用される８つのREと、非パイロット信号を送信するためにもパイロットビットを送信するためにも使用されない２つのREとを含む。このように、異なる無線周波数ポートが使用されるとき、FIG. 2-1中の番号0が付されるＯＦＤＭシンボル上で信号を伝送する電力は、FIG. 2-2中の番号0が付されるＯＦＤＭシンボル上で信号を伝送する電力と同じである。同様に、異なる無線周波数ポートが使用されるとき、FIG. 2-3中の番号0が付されるＯＦＤＭシンボル上で信号を伝送する電力は、FIG. 2-4中の番号0が付されるＯＦＤＭシンボル上で信号を伝送する電力と同じである。
【手続補正２５】
【補正対象書類名】明細書
【補正対象項目名】００６６
【補正方法】変更
【補正の内容】
【００６６】
以下は、ＶＡＭ行列を使用することによって処理されない信号を、１つのRBおよび異なる無線周波数ポートを使用することによって各シンボル上で伝送する信号電力を説明するために、4T4Rにおける構成情報において、帯域幅が20Mであり、CRSの電力が18.2 dBmであり、Pa = -6、およびPb = 1である例を用いる。CRSの電力は、18.2 dBmに設定される。換言すれば、パイロットビットを送信するために使用される１つのREが信号を伝送する信号電力は、18.2 dBmである。Pa = -6に関して、非パイロットType-A信号を送信するために使用される１つのREが信号を伝送する信号電力は、12.2 dBmである。Pb = 1であれば、Type-Aシンボルを使用することによって信号を伝送する電力は、Type-Bシンボルを使用することによって信号を伝送する電力と同じであり、電力は12.2 dBmに等しい。flow 0、flow 1、flow 2、およびflow 3は、それぞれ、４つのベースバンド信号を表すために使用される。FIG. 2-1中、ＶＡＭ行列を使用することによって処理されない信号を、第１の無線周波数ポートを使用することによって時間領域における番号0が付されるシンボル（第１のシンボル）および周波数領域における１つのRB（FIG. 2-1中の第１の列）のリソース上で伝送する信号電力は、18.2 dBm × 2 + 8 × 12.2 dBm = 24.2 dBmである。帯域幅が20Mであること、および100個のRBが使用される必要があることを考慮すると、FIG. 2-1中の第１の無線周波数ポートAを使用することによって第１のシンボル上で信号を伝送する全電力は、44.2 dBm = 26.49 Wである。なお、単位dBmは、直接加算できず、加算の前にまずミリワットに変換される必要があり、加算結果の単位はその後にワット（W）に変換されることに注意すべきである。
【手続補正２６】
【補正対象書類名】明細書
【補正対象項目名】００６７
【補正方法】変更
【補正の内容】
【００６７】
同様に、FIG. 2-1中、ＶＡＭ行列を使用することによって処理されない信号を、第１の無線周波数ポートを使用することによって第２のシンボルおよび１つのRBのリソース上で伝送する信号電力は、8 × 12.2 dBm = 21.2 dBmである。次に、帯域幅が20Mであること、および合計で100個のRBが使用されること、すなわち21.2 dBmの100倍であることを考慮すると、FIG. 2-1中の第１の無線周波数ポートAを使用することによって第２のシンボル上で信号を伝送する全電力は41.2 dBmであり、単位の変換後は13.28 Wに等しい。
【手続補正２７】
【補正対象書類名】明細書
【補正対象項目名】００６８
【補正方法】変更
【補正の内容】
【００６８】
FIG. 2-1中、ＶＡＭ行列を使用することによって処理されない信号を、第１の無線周波数ポートを使用することによって第３のシンボルおよび１つのRBのリソース上で伝送する信号電力は、12 × 12.2 dBm = 22.99 dBmである。次に、帯域幅が20Mであること、および合計で100個のRBが使用されること、すなわち、22.99 dBmの100倍であることを考慮すると、FIG. 2-1中の第１の無線周波数ポート Aを使用することによって第３のシンボル上で信号を伝送する全電力は42.99 dBmであり、単位の変換後は19.92 Wに等しい。
【手続補正２８】
【補正対象書類名】明細書
【補正対象項目名】００６９
【補正方法】変更
【補正の内容】
【００６９】
類推すると、帯域幅が20Mであるとき、ＶＡＭ行列を使用することによって処理されない信号を、第１の無線周波数ポートを使用することによって14個のシンボル上で伝送する全電力は、それぞれ、26.49 dBm, 13.28 dBm, 19.92 dBm, 19.92 dBm, 26.49 dBm, 19.92 dBm, 19.92 dBm, 26.49 dBm, 13.28 dBm, 19.92 dBm, 19.92 dBm, 26.49 dBm, 19.92 dBm, および19.92 dBmである。いくつかの計算処理は、他のシンボルおよび他の無線周波数ポートに適用可能である。以下の表１は、ＶＡＭ行列を使用することによって処理されないベースバンド信号を、様々なシンボルを使用することによって伝送する電力を示す。シンボルは、0から13の番号が付され、順に、第１のシンボル、第２のシンボル、第３のシンボル, …, および第１４のシンボルである。
【手続補正２９】
【補正対象書類名】明細書
【補正対象項目名】００９１
【補正方法】変更
【補正の内容】
【００９１】
以下の表２は、ＶＡＭ行列を使用することによって取得されるＶＡＭ行列処理された信号が対応する無線周波数ポートから出力される電力を示す。通常の信号伝送を確実とするために、表２中の全ての電力は、無線周波数チャネルによって提供されうる最大出力電力20 Wよりも低いことがわかる。
【手続補正３０】
【補正対象書類名】明細書
【補正対象項目名】０１０１
【補正方法】変更
【補正の内容】
【０１０１】
上述の実施形態におけるＶＡＭ行列は、説明の例のためだけのものであって、ＶＡＭ行列処理の後に取得される各信号の電力が無線周波数チャネルによって提供されうる最大出力電力よりも小さくなりうるかぎり、ＶＡＭ行列は、本発明における上述の具体的な例に限られないことが理解されるべきである。上述の回転なし、45度に亘って実行される回転、60度に亘って実行される回転、および90度に亘って実行される回転は、ベースバンド信号の位相回転を説明するための例として使用されたにすぎない。しかしながら、ベースバンド信号の回転角は、本発明において限られるものではない
【手続補正３１】
【補正対象書類名】明細書
【補正対象項目名】０１０２
【補正方法】変更
【補正の内容】
【０１０２】
本発明の本実施形態におけるＶＡＭ行列は、伝送モード（TM）4を満たすだけでなく、TM 9およびTM 10も満たし、さらに、時分割複信（TDD）のTM 7およびTM 8を満たしうる。
【手続補正３２】
【補正対象書類名】明細書
【補正対象項目名】０１０８
【補正方法】変更
【補正の内容】
【０１０８】
図４は、本発明の実施形態による基地局のブロック図である。図４中の基地局10は、ＶＡＭ処理ユニット 11、プリコーディング処理ユニット12、および送信ユニット13を含む。
【手続補正３３】
【補正対象書類名】明細書
【補正対象項目名】０１１０
【補正方法】変更
【補正の内容】
【０１１０】
プリコーディング処理ユニット12は、４つの符号化された信号を取得するために、ＶＡＭ行列処理ユニットによって取得された４つの処理された信号に対してプリコーディング処理を行うよう構成される。
【手続補正３４】
【補正対象書類名】明細書
【補正対象項目名】０１２９
【補正方法】変更
【補正の内容】
【０１２９】
機能がソフトウエア機能ユニットの形で実施され、独立した製品として販売または使用されるとき、機能は、コンピュータ可読記憶媒体中に格納されうる。かかる理解に基づいて、本発明の技術的解決手段は、本質的には、または従来技術に寄与する部分は、または技術的解決手段のいくつかは、ソフトウエア製品の形で実施されうる。コンピュータソフトウエア製品は、記憶媒体に格納され、コンピュータ装置（パーソナルコンピュータ、サーバ、ネットワークデバイス等でありうる）に対して、本発明の実施形態において説明された方法の全てまたはいくつかのステップを実行するよう命令するいくつかの命令を含む。上述の記憶媒体は、USBフラッシュドライブ、リムーバブルハードディスク、読み出し専用メモリ（ROM）、ランダムアクセスメモリ（RAM）、磁気ディスク、または光ディスクといった、プログラムコードを格納しうるいかなる媒体も含む。
【国際調査報告】
2019530340.tif 000032
2019530340.tif 000033
2019530340.tif 000034
2019530340.tif 000035